(57)【特許請求の範囲】
【請求項１】
記録媒体上で筆記具によって入力される情報を取得可能な電磁誘導方式の情報入力装置であって、
第一方向に延びる第一軸を軸として前記第一方向に垂直な第二方向に折り曲げ可能であって、近接する前記筆記具の位置を検出可能な検出面を有する検出部と、
樹脂部材である第一保護部材と
を備え、
前記第一保護部材は、前記検出部が挿入される挿入部と、前記検出面と同じ方向を向く面から突出する第一突出部とを有し、
前記挿入部は、少なくとも前記第一軸に対向する対向面に開口部を有し、
前記第一突出部は、各種ステータスを示すインジケータと、電源のＯＮおよびＯＦＦを切り替え可能な電源スイッチとを有し、
前記検出部において、前記対向面が向く方向と反対側の端部から、前記第一保護部材のうち前記第一軸に最も近接する位置までの長さは、前記端部から前記第一軸までの長さよりも短いことを特徴とする情報入力装置。
【請求項２】
前記第一保護部材は、電子部品が搭載されたメイン基板と、前記電源である充電可能なバッテリーパックとを収納することを特徴とする請求項１に記載の情報入力装置。
【請求項３】
前記検出部の全部および前記第一保護部材の少なくとも一部が収納される第一収納部と、前記記録媒体を保持する保持部と、前記第一突出部の基端の少なくとも一部で接触する接触部とを有し、前記第一方向に延びる第二軸を軸として前記第二方向に折り曲げ可能な第二保護部材を備え、
前記第一突出部は、前記第二保護部材の前記検出面と同じ方向を向く面から突出することを特徴とする請求項１または２に記載の情報入力装置。
【請求項４】
前記保持部は、前記第二軸から前記検出面が向く方向に突出する複数の一対のリング片であって、
前記一対のリング片は、それぞれの先端が連結してリングを形成する連結状態と前記それぞれの先端が離隔した離隔状態とに切り替え可能であることを特徴とする請求項３に記載の情報入力装置。
【請求項５】
前記検出部のうち、前記第一保護部材に挿入されていない部分が収納される第二収納部を有する第三保護部材を備え、
前記第一保護部材は、前記第一保護部材の前記検出面と同じ方向を向く面が形成する仮想平面に沿って、前記対向面から前記第一軸の方向に突出する第二突出部を備え、
前記第三保護部材の前記検出面と同じ方向を向く面の少なくとも一部は、前記第二突出部の前記検出面とは反対方向を向く面と接触することを特徴とする請求項１または２に記載の情報入力装置。
【請求項６】
記録媒体上で筆記具によって入力される情報を取得可能な電磁誘導方式の情報入力装置であって、
第一方向に延びる第一軸を軸として前記第一方向に垂直な第二方向に折り曲げ可能であって、近接する前記筆記具の位置を検出可能な検出面を有する検出部と、
前記検出部が挿入される挿入部を有し、樹脂部材である第一保護部材と、
前記検出部のうち、前記第一保護部材に挿入されていない部分が収納される第二収納部を有する第三保護部材と
を備え、
前記挿入部は、少なくとも前記第一軸に対向する対向面に開口部を有し、
前記第一保護部材は、前記第一保護部材の前記検出面と同じ方向を向く面が形成する仮想平面に沿って、前記対向面から前記第一軸の方向に突出する第二突出部をさらに有し、
前記第三保護部材の前記検出面と同じ方向を向く面の少なくとも一部は、前記第二突出部の前記検出面とは反対方向を向く面と接触し、
前記検出部において、前記対向面が向く方向と反対側の端部から、前記第一保護部材のうち前記第一軸に最も近接する位置までの長さは、前記端部から前記第一軸までの長さよりも短いことを特徴とする情報入力装置。
【請求項７】
前記第一保護部材は、前記第一保護部材の前記検出面と同じ方向を向く面に前記記録媒体が保持される凹部を備えることを特徴とする請求項５または６に記載の情報入力装置。
【請求項８】
前記第一軸は、前記検出部の前記第二方向における中央部であることを特徴とする請求項１から７のいずれかに記載の情報入力装置。
【発明の詳細な説明】
【技術分野】
【０００１】
本発明は、ユーザが筆記具を用いて入力した情報を取得可能な電磁誘導方式の情報入力装置に関する。
【背景技術】
【０００２】
従来、ユーザが筆記具を用いて手書きした内容に対応したデータを入力可能な情報入力装置が知られている。例えば特許文献１に記載の情報入力装置は、一対の筐体（以下、それぞれ、「左筐体」および「右筐体」ともいう。）を備えている。この情報入力装置は、左筐体と右筐体との間で折り曲げ可能である。左筐体は、第一センサを備えている。右筐体は、第二センサを備えている。ユーザは、一対の筐体上に載せられた、見開き可能な冊子状の紙媒体に筆記具で筆記する。情報入力装置は、第一センサおよび第二センサのいずれかにより筆記具の位置を検出して、画像データとして保存する。
【先行技術文献】
【特許文献】
【０００３】
【特許文献１】特開２０１４−９６０７１号公報
【発明の概要】
【発明が解決しようとする課題】
【０００４】
ところで、左筐体と右筐体との上に紙媒体を載せて上記の情報入力装置を使用する場合、ユーザは、左筐体と右筐体との間に位置する紙媒体に筆記具で筆記する場合がある。この場合、紙媒体には線画は筆記される。しかしながら、上記の情報入力装置では、折曲部である左筐体と右筐体との間の部分には、センサが設けられていないため、筆記具の位置を検出できないという問題点があった。
【０００５】
本発明の目的は、折曲部に近接した筆記具の位置を検出可能な情報入力装置を提供することである。
【課題を解決するための手段】
【０００６】
本発明の第一態様に係る情報入力装置は、記録媒体上で筆記具によって入力される情報を取得可能な電磁誘導方式の情報入力装置であって、第一方向に延びる第一軸を軸として前記第一方向に垂直な第二方向に折り曲げ可能であって、近接する前記筆記具の位置を検出可能な検出面を有する検出部と、樹脂部材である第一保護部材とを備え、前記第一保護部材は、前記検出部が挿入される挿入部と、前記検出面と同じ方向を向く面から突出する第一突出部とを有し、前記挿入部は、少なくとも前記第一軸に対向する対向面に開口部を有し、前記第一突出部は、各種ステータスを示すインジケータと、電源のＯＮおよびＯＦＦを切り替え可能な電源スイッチとを有し、前記検出部において、前記対向面が向く方向と反対側の端部から、前記第一保護部材のうち前記第一軸に最も近接する位置までの長さは、前記端部から前記第一軸までの長さよりも短い。
【０００７】
第一態様の情報入力装置によれば、第一軸は第一保護部材に覆われないため、検出部は、第一軸を軸として折り曲がる。例えば、ユーザは、複数枚の用紙がそれぞれの縁部の一部で綴じられた冊子状の記録媒体を、その綴じられた部分を第一軸に合わせて、情報入力装置に載せる。ユーザが筆記具によって記録媒体上で情報を入力する場合、入力された情報が第一軸上に位置する場合がある。この場合、第一軸は、検出部の検出面上であるため、情報入力装置は、第一軸に近接した筆記具の位置を検出できる。
【０００８】
インジケータが第一突出部に設けられているため、ユーザは、インジケータを容易に視認でき、各種ステータスを即座に把握できる。電源スイッチが第一突出部に設けられているため、ユーザは、電源のＯＮおよびＯＦＦを容易に切り替えることができる。
【０００９】
第一態様において、前記第一保護部材は、電子部品が搭載されたメイン基板と、前記電源である充電可能なバッテリーパックとを収納してもよい。この場合、樹脂部材である第一保護部材にメイン基板とバッテリーパックとを収納することにより、情報入力装置は、メイン基板およびバッテリーパックが破損することを防ぐことができる。
【００１０】
第一態様は、前記検出部の全部および前記第一保護部材の少なくとも一部が収納される第一収納部と、前記記録媒体を保持する保持部と、前記第一突出部の基端の少なくとも一部で接触する接触部とを有し、前記第一方向に延びる第二軸を軸として前記第二方向に折り曲げ可能な第二保護部材を備え、前記第一突出部は、前記第二保護部材の前記検出面と同じ方向を向く面から突出してもよい。この場合、検出部は第二保護部材によって静電気から保護される。また、第一保護部材に設けられた第一突出部の基端と第二保護部材の接触部とが接触することにより、第一保護部材と第二保護部材との位置関係が固定される。第二保護部材の保持部により記録媒体が保持されることにより、第二保護部材と記録媒体との位置関係が固定される。これにより、検出部と記録媒体の位置関係が固定されるため、情報入力装置は、ユーザが記録媒体に入力した情報を適切に検出できる。
【００１１】
第一態様において、前記保持部は、前記第二軸から前記検出面が向く方向に突出する複数の一対のリング片であって、前記一対のリング片は、それぞれの先端が連結してリングを形成する連結状態と前記それぞれの先端が離隔した離隔状態とに切り替え可能であってもよい。この場合、ユーザは、リング片が挿入可能な孔を有する記録媒体を用いる。ユーザは、離隔状態でリング片に記録媒体を挿入し、連結状態にする。これにより、記録媒体は第二保護部材に保持されるため、第二保護部材と記録媒体との位置関係が固定される。したがって、検出部と記録媒体の位置関係が固定されるため、情報入力装置は、ユーザが記録媒体に入力した情報を適切に検出できる。
【００１２】
第一態様は、前記検出部のうち、前記第一保護部材に挿入されていない部分が収納される第二収納部を有する第三保護部材を備え、前記第一保護部材は、前記第一保護部材の前記検出面と同じ方向を向く面が形成する仮想平面に沿って、前記対向面から前記第一軸の方向に突出する第二突出部を備え、前記第三保護部材の前記検出面と同じ方向を向く面の少なくとも一部は、前記第二突出部の前記検出面とは反対方向を向く面と接触してもよい。この場合、第三保護部材の検出面と同じ方向を向く面が第二突出部の検出面とは反対方向を向く面と接触し、第三保護部材が対向面と接触することにより、第一保護部材と第三保護部材との間で検出部が露出することを防ぐことができる。これにより、情報入力装置は、検出部を静電気から確実に保護できる。
【００１３】
本発明の第二態様に係る情報入力装置は、記録媒体上で筆記具によって入力される情報を取得可能な電磁誘導方式の情報入力装置であって、第一方向に延びる第一軸を軸として前記第一方向に垂直な第二方向に折り曲げ可能であって、近接する前記筆記具の位置を検出可能な検出面を有する検出部と、前記検出部が挿入される挿入部を有し、樹脂部材である第一保護部材と、前記検出部のうち、前記第一保護部材に挿入されていない部分が収納される第二収納部を有する第三保護部材とを備え、前記挿入部は、少なくとも前記第一軸に対向する対向面に開口部を有し、前記第一保護部材は、前記第一保護部材の前記検出面と同じ方向を向く面が形成する仮想平面に沿って、前記対向面から前記第一軸の方向に突出する第二突出部をさらに有し、前記第三保護部材の前記検出面と同じ方向を向く面の少なくとも一部は、前記第二突出部の前記検出面とは反対方向を向く面と接触し、前記検出部において、前記対向面が向く方向と反対側の端部から、前記第一保護部材のうち前記第一軸に最も近接する位置までの長さは、前記端部から前記第一軸までの長さよりも短い。
第二態様の情報入力装置によれば、第一軸は第一保護部材に覆われないため、検出部は、第一軸を軸として折り曲がる。例えば、ユーザは、複数枚の用紙がそれぞれの縁部の一部で綴じられた冊子状の記録媒体を、その綴じられた部分を第一軸に合わせて、情報入力装置に載せる。ユーザが筆記具によって記録媒体上で情報を入力する場合、入力された情報が第一軸上に位置する場合がある。この場合、第一軸は、検出部の検出面上であるため、情報入力装置は、第一軸に近接した筆記具の位置を検出できる。
第三保護部材の検出面と同じ方向を向く面が第二突出部の検出面とは反対方向を向く面と接触し、第三保護部材が対向面と接触することにより、第一保護部材と第三保護部材との間で検出部が露出することを防ぐことができる。これにより、情報入力装置は、検出部を静電気から確実に保護できる。
第一態様および第二態様において、前記第一保護部材は、前記第一保護部材の前記検出面と同じ方向を向く面に前記記録媒体が保持される凹部を備えてもよい。この場合、ユーザは、凹部に合わせて記録媒体を配置する。これにより、第一保護部材と記録媒体との位置関係が固定される。したがって、検出部と記録媒体の位置関係が固定されるため、情報入力装置は、ユーザが記録媒体に入力した情報を適切に検出できる。
【００１４】
第一態様および第二態様において、前記第一軸は、前記検出部の前記第二方向における中央部であってもよい。例えば、複数枚の用紙がそれぞれの縁部の一部で綴じられた冊子状の記録媒体を使用する場合、通常、ユーザは、その綴じられた部分を情報入力装置の第二方向の中央部に合わせて載せる。この場合、第一軸が検出部の第二方向の中央部であるため、記録媒体の綴じられた部分と第一軸とが略一致する。これにより、情報入力装置は、記憶媒体を保持した状態で第一軸を軸として容易に折り曲げられる。
【図面の簡単な説明】
【００１５】
【図１】情報入力装置１の左上前方からの斜視図である。
【図２】検出装置２の左上前方からの斜視図である。
【図３】検出装置２の部品展開図である。
【図４】ノートカバー７の左上前方からの斜視図である。
【図５】情報入力装置１の電気的構成を示すブロック図である。
【図６】情報入力装置１１の左上前方からの斜視図である。
【図７】情報入力装置１２の左下前方からの斜視図である。
【図８】図７のＸ−Ｘ線矢視方向断面図である。
【図９】図８の円Ｙで示す領域の拡大図である。
【発明を実施するための形態】
【００１６】
以下、本発明の実施形態について、図面を参照して説明する。参照する図面は、本発明が採用し得る技術的特徴を説明するために用いられるものである。図面に記載されている装置の構成等は、それのみに限定する趣旨ではなく、単なる説明例である。以下の説明では、図１の上側、下側、左上側、右下側、左下側、および右上側を、それぞれ、情報入力装置１の前側、後側、右側、左側、上側、および下側と定義する。
【００１７】
本実施形態に係る情報入力装置１の概要について、図１を参照して説明する。情報入力装置１は、左右方向に折り曲げ（すなわち、二つ折り）可能で、かつ、ユーザが携行可能なタブレット型の手書き入力装置である。情報入力装置１は、図１に示すように、検出装置２がノートカバー７に組み付けられた状態（以下、「組付け状態」という。）で提供される。
【００１８】
情報入力装置１では、複数枚の用紙がそれぞれの縁部の一部で綴じられた冊子状の記録媒体、例えば表紙５１を備えるノート５が使用される。ユーザは、ノート５をノートカバー７に装着し、電子ペン１０でノート５に情報を記入する。電子ペン１０は、ノート５にインクで情報（文字、記号、図形、数字等）を記入でき、かつ、記入された情報を検出装置２に入力できる筆記具である。本実施形態の電子ペン１０は、周知の共振（同調）回路を構成する可変容量コンデンサ、コイル等（図示略）を内部に備える。検出装置２は、電子ペン１０が近接したとき、公知の電磁誘導方式で電子ペン１０の位置を検出する。このように、情報入力装置１は、検出装置２を用いて、ノート５に記入された情報をストロークデータとして取得する。
【００１９】
本実施形態の情報入力装置１は、近傍に位置する、例えば、不図示のスマートフォンとＢｌｕｅｔｏｏｔｈ（登録商標）（以下、「ＢＴ」という。）を用いて通信できる。検出装置２により取得されたストロークデータは、例えばユーザが入力した転送指示に応じて、スマートフォンに転送される。スマートフォンは、情報入力装置１から転送されたストロークデータに基づいて、ノート５に記入された情報を電子化した画像ファイルを生成および表示できる。
【００２０】
本実施形態に係る情報入力装置１の構造について、図１から図４を参照して説明する。検出装置２について、図２および図３を参照して説明する。図２は、ノートカバー７から検出装置２を取り外した状態の検出装置２を示す図である。図３は、検出装置２の後カバー４１と前カバー４２とを取り外した状態の検出装置２を示す図である。
【００２１】
図２および図３に示すように、検出装置２は、１枚のセンサ基板６と樹脂カバー４とを主に備える。センサ基板６は、例えばポリイミド製の片面プリント基板である。センサ基板６の前面（以下、「検出面６１」という。）には、左右方向および上下方向のそれぞれに細長いループコイルが多数配列される。センサ基板６は、検出面６１に近接した電子ペン１０（図１参照）の位置を検出できる。センサ基板６の形状は、左右方向を長手方向とした正面視長方形のシート状である。センサ基板６の大きさは、Ａ４サイズよりもやや大きい。センサ基板６は、可撓性を有する。センサ基板６は、折り曲げ軸（以下、「第一軸２１」という。）を軸として、検出面６１を見開き面として折り曲げられる。第一軸２１は、センサ基板６の左右方向の中央部に位置する。なお、第一軸２１は、センサ基板６の左右方向の中央部に位置しなくてもよい。
【００２２】
樹脂カバー４は、静電気を遮蔽する硬質の樹脂製である。樹脂カバー４は、後カバー４１と前カバー４２とを備える。後カバー４１の形状は、上下方向を長手方向とした正面視略長方形の板状であって、前側が開口する。後カバー４１の上下方向の長さは、センサ基板６の上下方向の長さよりもやや長い。後カバー４１の左右方向の長さは、センサ基板６の左右方向の長さの半分よりもやや短い。後カバー４１の前側には、前カバー４２が設けられる。前カバー４２は、平板部４３と第一突出部４４とを備える。平板部４３の形状は、上下方向を長手方向とした正面視略長方形の板状である。平板部４３の上下方向および左右方向の長さは、それぞれ、後カバー４１の上下方向および左右方向の長さと等しい。
【００２３】
平板部４３の左側面（以下、「対向面４Ａ」という。）には、開口部４Ｂが形成される。開口部４Ｂは、平板部４３の対向面４Ａの下端部近傍から第一突出部４４近傍まで延びる。開口部４Ｂの上下方向の長さは、センサ基板６の上下方向の長さよりもわずかに長い。平板部４３には、開口部４Ｂから右方に延びる凹部であるセンサ保持部４Ｃが形成される。センサ保持部４Ｃの左右方向の長さは、平板部４３の左右方向の長さよりもわずかに短い。センサ保持部４Ｃには、センサ基板６が、検出面６１を前側に向けた状態で、開口部４Ｂから挿入される。
【００２４】
第一突出部４４は、平板部４３の上端部から前方に突出する。第一突出部４４の前後方向の長さは、平板部４３の前後方向の長さと略等しい。
【００２５】
図３に示すように、センサ基板６の右端部から対向面４Ａまでの長さを、第一長さＬ１とする。センサ基板６の右端部から第一軸２１までの長さを、第二長さＬ２とする。すなわち、第一軸２１はセンサ基板６の中央部であるため、センサ基板６の左右方向の長さは第二長さＬ２の２倍である。この場合、第一長さＬ１＜第二長さＬ２が成立する。
【００２６】
図２に示すように、第一突出部４４の上面の左右方向の略中央には、ＢＴスイッチ４４Ａが設けられる。ＢＴスイッチ４４Ａは、ＢＴのＯＮおよびＯＦＦの切り替えを行う。第一突出部４４の上面の右隅には、電源スイッチ４４Ｂが設けられる。電源スイッチ４４Ｂは、情報入力装置１の電源のＯＮおよびＯＦＦの切り替えを行う。第一突出部４４の上面であって、ＢＴスイッチ４４Ａの右側には、ＵＳＢ端子４４Ｃが設けられる。ＵＳＢ端子４４Ｃには、ＵＳＢケーブルを取り付け可能である。情報入力装置１は、ＵＳＢケーブルで不図示のパーソナルコンピュータ等に接続されることにより、データの送受信を行ったり、後述のバッテリーパック９３の充電を行ったりする。
【００２７】
第一突出部４４の前面であって、ＢＴスイッチ４４Ａの左側には、左側から順にインジケータ４４Ｄ、４４Ｅ、４４Ｆが設けられる。各インジケータ４４Ｄ〜４４Ｆは、それぞれ、情報入力装置１の各種ステータスを示す。詳細には、インジケータ４４Ｄは、ＢＴがＯＮの状態の場合に青色に点灯する。インジケータ４４Ｅは、電源がＯＮの状態の場合、緑に点灯し、後述の電子ペン１０による信号をセンサ基板６が検出した場合に、橙色に点灯する。インジケータ４４Ｆは、バッテリーパック９３の残りバッテリー容量が所定値未満になった場合に、赤色が点灯する。本発明では、インジケータの数は３つに限定されず、３つより多くてもよいし、少なくてもよい。また、本発明では、インジケータが発光する色や発光する条件は限定されず、所定の条件で所定の色を発光すればよい。
【００２８】
図３に示すように、樹脂カバー４の内部には、メイン基板９１、センサ制御基板９２、およびバッテリーパック９３が主に収納される。メイン基板９１は、センサ基板６の後側であって、センサ保持部４Ｃの略中央より上部に配設される。センサ制御基板９２は、センサ基板６の後側であって、センサ保持部４Ｃの左下隅に配設される。バッテリーパック９３は、センサ基板６の後側であって、センサ保持部４Ｃの略中央に配設される。
【００２９】
ノートカバー７について、図１および図４を参照して説明する。図４は、検出装置２がノートカバー７から取り外された状態のノートカバー７を示す図である。ノートカバー７は、例えば可撓性を有する合皮製である。ノートカバー７は、折り曲げ軸（以下、「第二軸７３」という。）を軸として、前面を見開き面として折り曲げられる。第二軸７３は、ノートカバー７の左右方向の中央部に位置する。なお、ノートカバー７は、左右方向の中央部に可撓性を有する材質であればよい。ノートカバー７は、静電気を遮蔽する材質であることが好ましい。
【００３０】
ノートカバー７は、前シート７１と後シート７２と保持シート７６とを主に備える。前シート７１および後シート７２の形状は、共に、左右方向を長手方向とする正面視略長方形のシート状である。後シート７２の右側部分は、後方にやや凹む。前シート７１および後シート７２の左右方向の長さは、共に、センサ基板６の左右方向の長さよりもやや長い。前シート７１および後シート７２の上下方向の長さは、共に、樹脂カバー４の上下方向の長さよりもやや長い。前シート７１は、後シート７２の前面に重ね合わせて配設される。前シート７１の左端部、右端部、および下端部は、それぞれ、後シート７２の左端部、右端部、および下端部に縫合される。すなわち、前シート７１および後シート７２の上端部のみ開口しているため、ノートカバー７には、第一収納部７４が形成される。なお、ノートカバー７は、１枚のシート状の部材の一部を折り畳んで前シート７１と後シート７２とを構成して作製されてもよい。
【００３１】
前シート７１の右側上部には、切欠き部７５が形成される。切欠き部７５は、左端部７５Ａと下端部７５Ｂとを備える。左端部７５Ａの上下方向の長さは、第一突出部４４の上下方向の長さと略等しい。下端部７５Ｂの長さは、第一突出部４４の左右方向の長さよりもやや長い。
【００３２】
前シート７１の前面の右側には、保持シート７６が設けられる。保持シート７６の形状は、上下方向を長手方向とする正面視長方形のシート状である。保持シート７６の左右方向の長さは、樹脂カバー４の左右方向の長さよりもやや短い。保持シート７６の上下方向の長さは、切欠き部７５の下端部７５Ｂから前シート７１の下側の端までの長さと等しい。なお、保持シート７６の左右方向の長さは、樹脂カバー４の右側の端から第二軸７３までの距離よりも短ければよい。保持シート７６の上下方向の長さは、ノート５の上下方向の長さより長ければよい。
【００３３】
保持シート７６の下端部、右端部、および上端部は、それぞれ、前シート７１の下端部、右端部、および切欠き部７５の下端部７５Ｂの下側近傍に縫合される。保持シート７６は、下端部の上側のノート保持部７６Ａでも前シート７１と左右方向に縫合される。ノート保持部７６Ａから保持シート７６の上端部までの長さは、ノート５の上下方向の長さよりもわずかに長い。保持シート７６と前シート７１との間であって、ノート保持部７６Ａの上側には、ノート５の表紙５１が挿入されて保持される。なお、保持シート７６の上端部は、縫合されなくてもよい。
【００３４】
組付け状態の情報入力装置１について、図１を参照して説明する。検出装置２は、第一突出部４４が右上前側に配置されるように、ノートカバー７の上側の開口部から第一収納部７４に収納される。次いで、前シート７１の左上隅から切欠き部７５の左端部７５Ａまで、前シート７１と後シート７２とは縫合されて、情報入力装置１は組付け状態になる。
【００３５】
組付け状態において、第一突出部４４の基端の左端部および下端部は、それぞれ、ノートカバー７の切欠き部７５の左端部７５Ａおよび下端部７５Ｂと接触する。第一突出部４４は、切欠き部７５から前方へ突出する。第一軸２１と第二軸７３との位置は、略一致する。すなわち、検出装置２およびノートカバー７は、組付け状態で、第一軸２１および第二軸７３を折り曲げ軸として折り曲げ可能である。
【００３６】
本実施形態に係る情報入力装置１の電気的構造について、図５を参照して説明する。メイン基板９１は、ＣＰＵ９１１、フラッシュＲＯＭ９１２、ＢＴ部９１３等を備える。フラッシュＲＯＭ９１２およびＢＴ部９１３は、ＣＰＵ９１１に電気的に接続される。ＣＰＵ９１１は、検出装置２の制御を行う。フラッシュＲＯＭ９１２には、各種プログラム、ストロークデータ等が記憶される。各種プログラムは、ＣＰＵ９１１が検出装置２を制御するために実行される。ストロークデータは、ノート５に情報を記入する電子ペン１０の軌跡を示す。ＢＴ部９１３は、ＢＴを用いて近傍に位置する電子機器と通信を実行するためのコントローラである。
【００３７】
センサ制御基板９２はＡＳＩＣ９２１を備える。センサ制御基板９２のＡＳＩＣ９２１は、センサ基板６とメイン基板９１のＣＰＵ９１１とに電気的に接続される。ＣＰＵ９１１は、ＡＳＩＣ９２１を制御して、電子ペン１０による記入動作がセンサ基板６の近傍で行われた場合に、記入動作に基づいてストロークデータを取得する。
【００３８】
バッテリーパック９３は、メイン基板９１のＣＰＵ９１１に電気的に接続される。これにより、バッテリーパック９３からメイン基板９１に電源が供給される。
【００３９】
情報入力装置１によれば、センサ基板６は可撓性を有し、かつ、第一長さＬ１＜第二長さＬ２が成立するため、検出装置２は、第一軸２１を軸として折り曲がる。例えば、ユーザは、複数枚の用紙がそれぞれの縁部の一部で綴じられた冊子状のノート５を、その綴じられた部分を第一軸２１に合わせて、ノートカバー７の前面に載せて情報入力装置１を使用する。ユーザが電子ペン１０でノート５に情報を入力したときに、入力された情報が第一軸２１上に位置する場合がある。この場合、情報入力装置１は、折り曲げ軸である第一軸２１も検出装置２のセンサ基板６が設けられているため、第一軸２１に近接した電子ペン１０の位置を検出できる。
【００４０】
情報入力装置１によれば、前方に突出した第一突出部４４には、電源スイッチ４４Ｂとインジケータ４４Ｄ〜４４Ｆとが設けられている。これにより、ユーザは、インジケータ４４Ｄ〜４４Ｆを容易に視認でき、各種ステータスを即座に把握できる。ユーザは、電源のＯＮおよびＯＦＦを容易に切り替えることができる。
【００４１】
情報入力装置１によれば、メイン基板９１、センサ制御基板９２、バッテリーパック９３等が、硬質の樹脂製である樹脂カバー４に収納されている。これにより、樹脂カバー４は、樹脂カバー４に収納されている基板等の部材を、外部からの衝撃から保護できる。また、樹脂カバー４は静電気を遮蔽する樹脂製であるため、樹脂カバー４に収納されている基板等の部材は、静電気から保護される。
【００４２】
情報入力装置１によれば、センサ基板６は、ノートカバー７に設けられた第一収納部７４に収納されている。これにより、ノートカバー７は、センサ基板６を外部からの衝撃から保護できる。また、情報入力装置１は、静電気がセンサ基板６に影響して誤作動を生ずるおそれがある。ノートカバー７が静電気を遮蔽する材質であった場合、センサ基板６は、ノートカバー７により静電気から保護されるため、情報入力装置１において、誤作動が抑制される。
【００４３】
情報入力装置１によれば、第一突出部４４は、ノートカバー７の前面から前方に突出している。第一突出部４４の基端の左端部および下端部は、それぞれ、ノートカバー７に形成される切欠き部７５の左端部７５Ａおよび下端部７５Ｂと接触する。これにより、樹脂カバー４とノートカバー７との位置関係が固定される。また、ノート５は、ノートカバー７の保持シート７６によりノート保持部７６Ａおよび保持シート７６の右端部で保持される。これにより、ノートカバー７とノート５との位置関係が固定されるため、情報入力装置１は、ユーザがノート５に入力した情報を適切に検出できる。
【００４４】
情報入力装置１によれば、第一軸２１は、センサ基板６の左右方向の中央部に位置する。通常、ユーザは、ノート５の閉じられている部分を情報入力装置１の左右方向の中央部に合わせて載せる。この場合、第一軸２１がセンサ基板６の左右方向の中央部に位置するため、ノート５の綴じられた部分と第一軸２１とが略一致する。これにより、情報入力装置１は、ノート５を保持した状態で第一軸２１を軸として容易に折り曲げられる。
【００４５】
上記実施形態において、ノート５が、本発明の「記録媒体」に相当する。電子ペン１０が、本発明の「筆記具」に相当する。センサ基板６が、本発明の「検出部」に相当する。樹脂カバー４が、本発明の「第一保護部材」に相当する。センサ保持部４Ｃが、本発明の「挿入部」に相当する。保持シート７６が、本発明の「保持部」に相当する。切欠き部７５が、本発明の「接触部」に相当する。ノートカバー７が、本発明の「第二保護部材」に相当する。
【００４６】
本発明は上記実施形態に限定されるものではなく、発明の要旨を逸脱しない範囲での変更が可能である。例えば、情報入力装置１は、保持シート７６を備えなくてもよい。この場合、情報入力装置１は、保持シート７６の機能と同様に、ノート５とノートカバー７との位置関係を固定できればよい。例えば、保持シート７６の代わりに両面粘着テープ等で、ノート５とノートカバー７との位置関係を固定してもよい。ノートカバー７の前面の四隅に前面方向に付勢されるクリップを備え、ノート５とノートカバー７との位置関係をクリップで固定してもよい。この場合、ノートカバー７とノート５との位置関係が固定されるため、情報入力装置１は、ユーザがノート５に入力した情報を適切に検出できる。
【００４７】
情報入力装置１において、センサ基板６は、ポリイミド製の１枚の片面プリント基板に限定されず、左右方向の中央部である第一軸２１の部分に可撓性を有する基板であれば、複数のセンサ基板によって構成されてもよいし、中央部以外は可撓性を有しなくてもよい。例えば、センサ基板は、可撓性を有する１枚のセンサ基板を、第一軸２１を含む近傍に用いて、かつ、可撓性を有しない硬質な基板を左側と右側とに用いて、合計３枚で構成されてもよい。この場合、情報入力装置１は、折り曲げ軸である第一軸２１もセンサ基板６が設けられているため、第一軸２１に近接した電子ペン１０の位置を検出できる。
【００４８】
ノート５のサイズ、フォーマット、材質等は、上記実施形態に限定されない。ノートカバー７は、少なくとも検出装置２とノート５とを取り付け可能なサイズであればよい。
【００４９】
情報入力装置１は、図１に示すノートカバー７の代わりに、図６に示す情報入力装置１１のように、ノートカバー７０１を備えてもよい。以下、情報入力装置１１について、図６を参照して説明する。なお、検出装置２については、図１に示す情報入力装置１と同一であるので、同一符号を付し、説明を省略する。情報入力装置１１の電気的構成は、図５に示す情報入力装置１と同一なので説明を省略する。
【００５０】
ノートカバー７０１は、例えば可撓性を有する合皮製である。ノートカバー７０１は、折り曲げ軸（以下、「第二軸７３１」という。）を軸として、前面を見開き面として折り曲げられる。第二軸７３１は、ノートカバー７０１の左右方向の中央部に位置する。なお、ノートカバー７０１は、左右方向の中央部に可撓性を有する材質であればよい。ノートカバー７０１は、静電気を遮蔽する材質であることが好ましい。
【００５１】
ノートカバー７０１は、前シート７１１と後シート７２１と６つのリング片７６１とを主に備える。前シート７１１および後シート７２１の形状は、それぞれ、前シート７１および後シート７２の形状と同一である。第一収納部７４１、切欠き部７５１、左端部７５１Ａ、および下端部７５１Ｂは、それぞれ、情報入力装置１の第一収納部７４、切欠き部７５、左端部７５Ａ、および下端部７５Ｂに対応する。
【００５２】
検出装置２は、第一突出部４４が右上前側に配置されるように、ノートカバー７０１の上側から第一収納部７４１に収納される。第一突出部４４の基端の左端部および下端部は、それぞれ、ノートカバー７０１の切欠き部７５１の左端部７５１Ａおよび下端部７５１Ｂと接触する。すなわち、組付け状態において、第一突出部４４は、切欠き部７５１から前方へ突出する。
【００５３】
ノートカバー７０１がノートカバー７と異なる点は、保持シート７６の代わりに６つのリング片７６１を備える点である。６つのリング片７６１は、前シート７１１の前面から前側に突出するように、第二軸７３１上に設けられる。６つのリング片７６１は、それぞれ、左リング片７６１Ｌと右リング片７６１Ｒとを備える。左リング片７６１Ｌと右リング片７６１Ｒとは、その前端で連結する連結状態と、前端同士が離隔する離隔状態とに切り替え可能である。なお、リング片７６１は、６つでなくても、２つ以上であればよい。
【００５４】
ユーザが情報入力装置１１を使用する場合、例えばノート５０１が使用される。ノート５０１は、ノート５の表紙５１の大きさと同じである。ノート５０１の一の端部には、６つの孔５０１Ａが６つのリング片７６１と同じ間隔で、長手方向に沿って設けられる。
【００５５】
以上の場合、ユーザは、左リング片７６１Ｌと右リング片７６１Ｒとが係合していない状態で、左リング片７６１Ｌおよび右リング片７６１Ｒのいずれか一方を、ノート５０１の孔５０１Ａに挿入する。次いで、左リング片７６１Ｌと右リング片７６１Ｒとを係合する。これにより、ノート５０１は、複数のリング片７６１によって保持される。すなわち、ノートカバー７０１とノート５０１との位置関係が固定されるため、情報入力装置１１は、ユーザがノート５０１に入力した情報を適切に検出できる。
【００５６】
情報入力装置１は、図１に示す検出装置２およびノートカバー７の代わりに、図７および図８に示す情報入力装置１２のように、検出装置２２およびノートカバー７０２を備えてもよい。以下、情報入力装置１２について、図７から図９を参照して説明する。なお、センサ基板６、およびインジケータ４４Ｄ〜４４Ｆについては、図２に示す情報入力装置１と同一であるので、同一符号を付して説明を省略する。ＢＴスイッチ、電源スイッチ、ＵＳＢ端子、メイン基板、センサ制御基板、およびバッテリーパックについては、図２および図３に示す情報入力装置１と同一であるので、図示および説明を省略する。情報入力装置１２の電気的構成は、図５に示す情報入力装置１と同一なので説明を省略する。
【００５７】
図７および図８に示すように、検出装置２２は、樹脂カバー４０２とセンサ基板６とを主に備える。樹脂カバー４０２は、静電気を遮蔽する硬質の樹脂製である。樹脂カバー４０２は、後カバー４１２と前カバー４２２とを備える。後カバー４１２の形状は、後カバー４１と同一である。
【００５８】
図７に示すように、前カバー４２２は、平板部４３２と第一突出部４４２と第二突出部４５２とを備える。平板部４３２の形状は、平板部４３の形状と略同一である。平板部４３２の前面には、凹部４６２が形成される。凹部４６２の形状は、上下方向を長手方向とする正面視長方形である。凹部４６２の上下方向の長さは、ノート５の上下方向の長さと略等しい。凹部４６２は、前カバー４２２の左端部から右端部の近傍まで形成される。
【００５９】
図８および図９に示すように、平板部４３２の左側面（以下、「対向面４２Ａ」という。）には、開口部４２Ｂが形成される。平板部４３２には、開口部４２Ｂから右方に延びる凹部であるセンサ保持部４２Ｃが形成される。開口部４２Ｂおよびセンサ保持部４２Ｃは、それぞれ、情報入力装置１の開口部４Ｂおよびセンサ保持部４Ｃに対応する。センサ保持部４２Ｃには、センサ基板６が検出面６１を前側に向けた状態で、開口部４２Ｂから挿入される。
【００６０】
第一突出部４４２の形状は、第一突出部４４の形状と同一である。前カバー４２２の対向面４２Ａの前端部には、前カバー４２２の前面が形成する仮想平面に沿って、左側へやや突出する第二突出部４５２が設けられる。第一軸２１２は、情報入力装置１の第一軸２１に対応する。
【００６１】
図８に示すように、センサ基板６の右端部から第二突出部４５２の先端までの長さを、第三長さＬ３とする。センサ基板６の右端部から第一軸２１２までの長さを、第四長さＬ４とする。すなわち、第一軸２１２はセンサ基板６の中央部であるため、センサ基板６の左右方向の長さは第四長さＬ４の２倍である。この場合、第三長さＬ３＜第四長さＬ４が成立する。
【００６２】
第一突出部４４２の上面の左右方向の略中央には、不図示のＢＴスイッチが設けられる。第一突出部４４２の上面の右隅には、不図示の電源スイッチが設けられる。第一突出部４４２の上面であって、ＢＴスイッチの右側には、不図示のＵＳＢ端子が設けられる。第一突出部４４２の前面であって、ＢＴスイッチの左側には、左側から順にインジケータ４４Ｄ、４４Ｅ、４４Ｆが設けられる。なお、図示していないが、樹脂カバー４０２の内部には、メイン基板、センサ制御基板、およびバッテリーパックが収納される。
【００６３】
ノートカバー７０２は、例えば可撓性を有する合皮製である。ノートカバー７０２は、折り曲げ軸（以下、「第二軸７３２」という。）を軸として、前面を見開き面として折り曲げられる。第二軸７３２は、情報入力装置１の第二軸７３に対応する。なお、ノートカバー７０２は、左右方向の中央部に可撓性を有する材質であればよい。ノートカバー７０２は、静電気を遮蔽する材質であることが好ましい。
【００６４】
ノートカバー７０２は、前シート７１２と後シート７２２とを主に備える。後シート７２２の形状は、後シート７２の形状と同一である。前シート７１２の形状は、正面視略正方形のシート状である。前シート７１２の左右方向および上下方向の長さは、後シート７２２の上下方向の長さと略等しい。前シート７１２は、後シート７２２の上面の左側に重ね合わせて配設される。前シート７１２の左端部、上端部、および下端部は、それぞれ、後シート７２２の左端部、上端部、および下端部に縫合される。すなわち、前シート７１２の右端部のみ開口しているため、ノートカバー７０２には、第二収納部７４２が形成される。
【００６５】
センサ基板６の露出している部分は、前シート７１２の右側から第二収納部７４２に収納される。図８に示すように、前シート７１２の前面の右端部は、第二突出部４５２の背面と接触する。なお、情報入力装置１２において、ノートカバー７０２が、本発明の「第三保護部材」に相当する。
【００６６】
例えば、情報入力装置１２の前シート７１２と検出装置２２との間に隙間があいていた場合、静電気がセンサ基板６に影響して、情報入力装置１２は誤作動を生ずるおそれがある。情報入力装置１２においては、第二突出部４５２によって静電気が遮蔽されるため、静電気による誤作動が抑制される。
【００６７】
ユーザは、情報入力装置１２の前面にノート５を載せて情報入力装置１２を使用する。この場合、ユーザは凹部４６２にノート５を保持させる。詳細には、凹部４６２の角と表紙５１の角とを合わせてノート５に保持させる。これにより、検出装置２２とノート５との位置関係が固定されるため、情報入力装置１２は、ユーザがノート５に入力した情報を適切に検出できる。
【符号の説明】
【００６８】
１、１１、１２        情報入力装置
４、４０２            樹脂カバー
５、５０１            ノート
６                    センサ基板
７、７０１、７０２    ノートカバー
１０                  電子ペン
【図１】
0006319080.tif 000002
【図２】
0006319080.tif 000003
【図３】
0006319080.tif 000004
【図４】
0006319080.tif 000005
【図５】
0006319080.tif 000006
【図６】
0006319080.tif 000007
【図７】
0006319080.tif 000008
【図８】
0006319080.tif 000009
【図９】
0006319080.tif 000010